【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
シャーシと、第１のモジュール及び第２のモジュールと、から成る配電盤であって、
前記シャーシは、第１の開口及び第２の対向開口を備える内装部を画成する上部、底部及び一対の対向側部を含み、前記側部の各々は前記シャーシをラックに装着するようなされたフランジを有しており、
前記シャーシは背面を含み、該背面が前記第２の開口を含み、
前記第１のモジュール及び前記第２のモジュールの各々は、底部と、第１の面と、第２の面を備え、かつ、電力入力端子と、複数の電力出力端子と、各電力出力端子を前記電力入力端子に接続する電気回路を有し、各回路は回路保護装置を有しており、
前記電力入力端子、前記電力出力端子及び前記回路保護装置は、前記第１及び第２の面の一方に装着されており、
前記各モジュールは、前記第１の開口から収容されて前記内装部内に着脱自在に取り付けられるよう構成されている、配電盤において、
前記各モジュールを前記シャーシ内に装着したときに、前記電力入力端子と前記電力出力端子を前記第２の開口を介してアクセス可能とし、前記回路保護装置を前記第１の開口を介してアクセス可能としており、 
前記各モジュールが警報回路と警報回路コネクタを含み、該警報回路コネクタを前記背面を介してアクセス可能としたことを特徴とする配電盤。
【請求項２】
前記第２の開口は、前記電力入力端子用の第１の部分と前記電力出力端子用の第２の部分とを含み、前記第１の部分は前記第２の部分と連通しており、前記第１の部分及び前記第２の部分は前記各モジュールに対応している、請求項１記載の配電盤。
【請求項３】
前記第２の開口は前記電力入力端子用の第１の部分と前記電力出力端子用の第２の部分とを含み、前記第１の部分は前記第２の部分とは切り離してあり、前記第１の部分及び前記第２の部分は前記各モジュールに対応している請求項１記載の配電盤。
【請求項４】
低電圧検出回路が前記電力入力端子に接続してあり、低電圧状態を検出したときに低電圧警報信号を生成する、請求項１記載の配電盤。
【請求項５】
前記低電圧検出回路は表示灯を含み、前記低電圧状態が検出されたときに前記低電圧警報信号が前記表示灯を照光し、前記各モジュールを前記シャーシ内に装着したときに前記表示灯は前記各モジュールの前記第１の表面に装着し、前記第１の開口を介して視認可能とした、請求項４記載の配電盤。
【請求項６】
前記各モジュールを前記シャーシ内に装着したときに、前記各モジュールの第１の面が前記第１の開口を閉じ、前記各モジュールの前記第２の面が前記第２の開口を閉じる、請求項１記載の配電盤。
【請求項７】
各回路内の前記回路保護装置が回路遮断器を含む、請求項１記載の配電盤。
【請求項８】
各回路内の前記回路保護装置がヒューズを含む、請求項１記載の配電盤。
【請求項９】
前記第２のモジュールは前記第１のモジュールの鏡像として構成された請求項１記載の配電盤。
【請求項１０】
前記各モジュールは両側に一対のエッジを含み、前記内装部が前記エッジを受ける一対の案内レールを含み、前記エッジが前記案内レール内にある状態で前記電力入力端子及び前記電力出力端子は前記第２の開口内に延出するよう配置する、請求項１記載の配電盤。
【請求項１１】
前記背面が少なくとも一つの接地ポストを含む、請求項１記載の配電盤。
【請求項１２】
配電モジュールであって、
第１の端部及び対向する第２の端部を有する床面付き基台であって、第１の面が前記第１の端部に隣接して前記床面から上方へ延び、第２の対向する面が前記第２の端部に隣接して前記床面から上方へ延びる床面付き基台と、
前記第１と第２の面のうちの一つに装着した電力入力端子と、
前記第１と第２の面のうちの一つに装着した複数の電力出力端子と、
複数の回路と、
から成り、
前記複数の回路の各々は、前記複数の電力出力端子のうちの一つを前記電力入力端子に接続し、前記各回路は回路保護装置を含み、各回路保護装置は前記第１と第２の面のうちの一つに装着されており、前記複数の回路は、警報回路と、警報回路コネクタと、を備えており、
前記基台が開口する上部及び開口する側部を有し、
前記警報回路コネクタと前記電力入力端子と前記電力出力端子とは、前記第１と第２の面の同一面に装着しており、前記回路保護装置は前記第１と第２の面の他方に装着しており、
前記基台は、前記第１の端部から前記第２の端部の方向へ延びる二つの対向エッジを含み、前記二つの対向エッジは、外方に延びるフランジを形成していることを特徴とする配電盤。
【請求項１３】
前記基台の床面は複数の換気孔を含む、請求項１２記載の配電モジュール。
【請求項１４】
前記電力入力端子に低電圧検出回路が接続してあり、低電圧状態の検出時に低電圧警報信号を生成する、請求項１２記載の配電モジュール。
【請求項１５】
前記低電圧検出回路は表示灯を含み、前記低電圧状態の検出時に前記低電圧警報信号が前記表示灯を照光し、前記表示灯は前記モジュールの前記第１の面に装着した、請求項１４記載の配電モジュール。
【請求項１６】
配電盤内の配電回路の交換方法であって、
前面開口、背面開口及び内装部を画成する上部、底部及び一対の対向側部を有するシャーシ内に着脱可能に装着され、かつ、前記背面開口内を通る複数の電力出力端子と、前記背面開口内を通る電力入力端子と、前記電力入力端子を各電力出力端子に接続し、かつ、回路保護装置を備える回路と、から成るモジュールを画成するトレイに装着された配電回路を提供するステップと、
前記モジュールのうちの第１のモジュールの電力入力端子から全ての電力入力ケーブルを切り離すステップと、
前記第１のモジュールの複数の電力出力端子から全ての電力出力ケーブルを切り離すステップと、
前記前面開口を介して前記シャーシから前記第１のモジュールを取り除くステップと、
前記背面開口内を通る複数の電力出力端子と、前記背面開口内を通る電力入力端子と、前記電力入力端子を各電力出力端子に接続し、かつ、回路保護装置を有する回路と、から成る交換モジュールを前記前面開口を介して前記シャーシ内に挿入するステップと、
から成り、
前記モジュールは、さらに該第１のモジュールに対して水平方向に隣接した状態で前記シャーシ内に配置された第２のモジュールを備え、該第２のモジュールが、前記背面開口内を通る複数の電力出力端子と、前記背面開口内を通る電力入力端子と、各電力出力端子に前記電力入力端子を接続し且つ回路保護装置を含む回路と、を含み、
前記第１のモジュールと前記第２のモジュールは前記前面開口を介して前記内装部内に独立して装着されており、
前記第１のモジュールと前記交換モジュールと前記第２のモジュールはそれぞれ、警報回路を担持しており、前記各警報回路は、前記シャーシの前記背面開口内を通る警報回路コネクタを有しており、
前記第１のモジュールを前記シャーシから取り除くステップが行われる前に、あらゆる警報ケーブルが前記第１のモジュールの前記警報回路コネクタから切り離され、
前記第１のモジュールを取り除くステップと前記交換モジュールを挿入するステップは、前記第２のモジュールへ電力を供給して前記第２のモジュールの前記警報回路をアクティブとした間に行なわれる、
ことを特徴とする交換方法。
【請求項１７】
シャーシと、一対の配電モジュールと、から成る配電盤であって、
前記シャーシは、協働して内装部と、この内装部内に貫通する前面開口と、を画成する上部、底部、一対の対向側部及び背面壁を備え、前記背面壁が複数の開口を有しており、
前記モジュールは、前記内装部内に離脱可能に装着され、前記前面開口を摺動して取り外し可能とされており、前記モジュールは、互いに対して水平に配置されており、
各モジュールは、電力入力端子と、複数の電力出力端子と、各電力出力端子を前記電力入力端子に接続し、かつ、回路保護装置を備える回路と、を有しており、
前記電力入力端子及び前記電力出力端子は、前記シャーシの前記背面壁内の前記開口の一つを通って延びており、
前記回路保護装置は、前記シャーシの前記前面開口を介してアクセス可能とされており、
各モジュールは警報回路と警報回路コネクタとを含み、各モジュールの前記警報回路コネクタは前記シャーシの前記背面壁内の前記開口のうちの一つを通って延びており、
前記各モジュールは前記前面開口を介して前記内装部に独立装着されている
ことを特徴とする配電盤。
【請求項１８】
各モジュールの前記電力入力端子と前記電力出力端子は前記シャーシの前記背面壁内の同一開口を通って延びる、請求項１７記載の配電盤。
【請求項１９】
各モジュールの前記電力入力端子と前記電力出力端子は前記シャーシの前記背面壁内の別個の開口を通って延びる、請求項１７記載の配電盤。
【請求項２０】
各モジュールが一対の対向端を含み、前記内装部が各モジュールの前記対向エッジを摺動可能に受け入れる一対の案内レールを含み、前記対向エッジと案内レールが前記開口に隣接した箇所から前記背面壁へ向け延びる、請求項１７記載の配電盤。
【請求項２１】
前記モジュールがそれぞれ前記回路保護装置を装着する前面を含む、請求項１７記載の配電盤。
【請求項２２】
各モジュールの前記前面が前記シャーシの前記上部から前記底部へ延びて前記前面開口の一部を閉塞し、前記二つの前面が協働して前記前面開口をほぼ閉じる、請求項２１記載の配電盤。
【請求項２３】
低電圧検出回路が前記電力入力端子に接続してあり、低電圧状態の検出時に低電圧警報信号を生成する、請求項１７記載の配電盤。
【請求項２４】
前記低電圧検出回路は表示灯を含み、前記低電圧状態の検出時に前記低電圧警報信号が前記表示灯を照光し、該表示灯は前記モジュールの前記第１の面に装着した、請求項２３記載の配電盤。
【請求項２５】
前記低電圧警報信号が前記電力入力端子を前記電力出力端子から切り離す、請求項２３記載の配電盤。